(57)【要約】  【課題】  蝶結びを解かなくとも素早く簡単に靴紐の締め具合が調整可能な靴紐保持具を提供する。  【解決手段】  保持具本体１に靴紐２が２本又は３本通る大きさの中央孔１ａを一対設け、これら中央孔１ａの両側に靴紐２が１本通る大きさの端孔１ｂ，１ｃを少なくとも各１個宛設け、各中央孔１ａと各端孔１ｂ又は隣り合う複数の端孔１ｂ，１ｃ同士に亘り、靴Ｓから延出した靴紐２を夫々通して、蝶結び３の蝶部３ａが形成されるような配置とすると共に、各端孔１ｂ，１ｃから各中央孔１ａへ靴紐２の両端部２ｂを夫々通して、蝶結び３のタレ部３ｂが形成されるような配置とすることにより、保持具本体１を靴Ｓから離れるように移動させると、蝶結び３の蝶部３ａから靴紐２が繰り出されて、その分だけ靴紐２が弛み、この弛み状態から蝶結び３の蝶部３ａを引っ張ると、靴Ｓから延出した靴紐２が蝶結び３の蝶部３ａへ繰り込まれて、その分だけ靴紐２が締め付けられる。  【選択図】      図１
2009050454.tif 000002
【特許請求の範囲】
【請求項１】
保持具本体の孔に靴紐を通して蝶結び形状にした靴紐保持具において、
前記保持具本体に靴紐が２本又は３本通る大きさの中央孔を一対設け、これら中央孔の両側に靴紐が１本通る大きさの端孔を少なくとも各１個宛設け、各中央孔と各端孔又は隣り合う複数の端孔同士に亘り、靴から延出した靴紐を夫々通すことで、蝶結びの蝶部が形成されるような配置とすると共に、各端孔から各中央孔へ靴紐の両端部を夫々通すことで、蝶結びのタレ部が形成されるような配置としたことを特徴とする靴紐保持具。
【請求項２】
前記各中央孔、各端孔のどれかに亘り通した靴紐を、保持具本体の表面上で夫々逆向きに接触するような配置とした請求項１記載の靴紐保持具。
【請求項３】
前記保持具本体とそれを通り抜けた靴紐の両端部との間又はどちらか一方に、靴紐の両端部の挿通方向と逆向きへ移動不能にするタレ戻り防止手段を設けた請求項１または２記載の靴紐保持具。
【発明の詳細な説明】
【技術分野】
【０００１】
本発明は、靴紐を結ぶ代わりに使用する靴紐保持具に関する。
詳しくは、保持具本体の孔に靴紐を通して蝶結び形状にした靴紐保持具に関する。
【背景技術】
【０００２】
従来、この種の靴紐保持具として、板状部材の略中央位置に靴紐が２本通し得る中央孔を設け、この中央孔の両側に略等距離ずつ離して靴紐が１本通し得る孔を少なくとも各１個宛設け、靴から延出した靴紐の両端が２本とも夫々、上記板状部材の表面を廻って両側の孔を外側から靴側へ通り、更に上記板状部材の靴側裏面を廻って上記中央孔の靴側から外へと通すことにより、該中央孔で２本の靴紐が結束され、これら中央孔を通った２本の靴紐を蝶結びするか、又は一つ結び無しの蝶結びすることで靴紐の両端を解け難くしたものがある（例えば、特許文献１参照）。
【０００３】
【特許文献１】実開昭４９−９０３４４号公報（第１頁、第１−６図）
【発明の開示】
【発明が解決しようとする課題】
【０００４】
しかし乍ら、このような従来の靴紐保持具では、中央孔で結束された靴紐の両端を蝶結びするため、靴紐を緩める度に蝶結びを解いて締め直す手間が必要であり、素早く簡単に締め具合を調整できないと共に、この蝶結びは従前通りの結びであるため解ける虞があるという問題があった。
更に、中央孔を通る２本の靴紐は、中央孔を締め具合の調整に伴って夫々同じ向きに移動するため、これら靴紐が弛み易いという問題もあった。
【０００５】
本発明のうち第一の発明は、蝶結びを解かなくとも素早く簡単に靴紐の締め具合が調整可能な靴紐保持具を提供することを目的としたものである。
第二の発明は、第一の発明の目的に加えて、靴紐同士の摩擦抵抗を向上させることを目的としたものである。
第三の発明は、第一の発明または第二の発明の目的に加えて、靴紐を更に容易でしかも確実に締め付けることを目的としたものである。
【課題を解決するための手段】
【０００６】
前述した目的を達成するために、本発明のうち第一の発明は、保持具本体に靴紐が２本又は３本通る大きさの中央孔を一対設け、これら中央孔の両側に靴紐が１本通る大きさの端孔を少なくとも各１個宛設け、各中央孔と各端孔又は隣り合う複数の端孔同士に亘り、靴から延出した靴紐を夫々通すことで、蝶結びの蝶部が形成されるような配置とすると共に、各端孔から各中央孔へ靴紐の両端部を夫々通すことで、蝶結びのタレ部が形成されるような配置としたことを特徴とするものである。
第二の発明は、第一の発明の構成に、前記各中央孔、各端孔のどれかに亘り通した靴紐を、保持具本体の表面上で夫々逆向きに接触するような配置とした構成を加えたことを特徴とする。
第三の発明は、第一の発明または第二の発明の構成に、前記保持具本体とそれを通り抜けた靴紐の両端部との間又はどちらか一方に、靴紐の両端部の挿通方向と逆向きへ移動不能にするタレ戻り防止手段を設けた構成を加えたことを特徴とする。
【発明の効果】
【０００７】
本発明のうち第一の発明は、保持具本体に靴紐が２本又は３本通る大きさの中央孔を一対設け、これら中央孔の両側に靴紐が１本通る大きさの端孔を少なくとも各１個宛設け、各中央孔と各端孔又は隣り合う複数の端孔同士に亘り、靴から延出した靴紐を夫々通して、蝶結びの蝶部が形成されるような配置とすると共に、各端孔から各中央孔へ靴紐の両端部を夫々通して、蝶結びのタレ部が形成されるような配置とすることにより、保持具本体を靴から離れるように移動させると、蝶結びの蝶部から靴紐が繰り出されて、その分だけ靴紐が弛み、この弛み状態から蝶結びの蝶部を引っ張ると、靴から延出した靴紐が蝶結びの蝶部へ繰り込まれて、その分だけ靴紐が締め付けられる。
従って、蝶結びを解かなくとも素早く簡単に靴紐の締め具合が調整可能な靴紐保持具を提供することができる。
その結果、靴紐を緩める度に蝶結びを解いて締め直す手間が必要な従来のものに比べ、便利でしかも蝶結びが解け難い。
【０００８】
第二の発明は、第一の発明の効果に加えて、各中央孔、各端孔のどれかに亘り通した靴紐を、保持具本体の表面上で夫々逆向きに接触するような配置とすることにより、これら靴紐がその締め具合の調整移動に伴って夫々逆向きに移動する。
従って、靴紐同士の摩擦抵抗を向上させることができる。
その結果、中央孔のみで２本の靴紐が同じ向きに摩擦接触する従来のものに比べ、靴紐の弛み防止機能が格段に向上し、それにより締め直す手間が大幅に省ける。
【０００９】
第三の発明は、第一の発明または第二の発明の効果に加えて、保持具本体とそれを通り抜けた靴紐の両端部との間又はどちらか一方に、靴紐の両端部の挿通方向と逆向きへ移動不能にするタレ戻り防止手段を設けることにより、靴紐の弛み状態から蝶結びの蝶部を引っ張る際に、タレ戻り防止手段で靴紐の両端部が逆向き移動せず、靴から延出した靴紐のみが蝶結びの蝶部へ繰り込まれて靴紐が締め付けられる。
従って、靴紐を更に容易でしかも確実に締め付けることができる。
その結果、操作性に優れ、誰にでも簡単に締め具合を調整できる。
【発明を実施するための最良の形態】
【００１０】
本発明の靴紐保持具Ａの実施形態は、図１〜図１１に示す如く、主に靴Ｓの腰革（クォーター：quarter又はアイレット・タブ）Ｓ１及び舌革（tongue）Ｓ２に沿って足幅方向へ配置される保持具本体１と、この保持具本体１の孔へ通すために、上記腰革Ｓ１の鳩目（アイレット：eyelet）Ｓ３を通って延出される靴紐２とからなる。
【００１１】
上記保持具本体１は、例えば硬質合成樹脂、金属などの材料で変形不能な板状やシート状などに形成するか、又は軟質合成樹脂、ゴム、皮などの材料で変形可能な板状やシート状などに形成するか、若しくは複数の部材を相互に連結することでその厚さ方向へ変形可能な一連の板状やシート状などに形成し、その長手方向の略中央位置には、上記靴紐２が２本又は３本通る大きさの中央孔１ａを一対設け、これら中央孔１ａの長手方向両側には、該靴紐２が１本通る大きさの端孔を少なくとも各１個宛設けている。
【００１２】
即ち、これら一対の大径な各中央孔１ａを挟んで長手方向両側に、小径な端孔１ｂを各１個宛設けるか、又は小径な端孔１ｂ，１ｃを適宜間隔毎に各２個宛設けか、若しくは各３個以上宛設ける。
この各中央孔１ａ及び各端孔１ｂ又は１ｃの配置例としては、両中央孔１ａの開設位置の延長線上に各端孔１ｂ又は１ｃを開設して、これら全てを上記保持具本体１の長手方向へ略一直線状に配置することが多い。
それ以外の配置例としては、両中央孔１ａの開設位置の延長方向（保持具本体１の長手方向）と交差するように各端孔１ｂ，１ｃを夫々開設して配置することも可能である。
【００１３】
このような各中央孔１ａ及び各端孔１ｂ，１ｃの形状及び大きさは、それら挿通する靴紐２の断面形状やその外径寸法によって異なる。
例えば靴紐２として断面円形の丸紐を使用する場合には、孔形状が丸形となって略同径か又は丸紐よりも若干大径に形成し、断面長方形の平紐を使用する場合には、孔形状を丸形でも良いが、それ以外に矩形や三角形や多角形などにすることも可能であり、その大きさも靴紐２が通過し得る寸法であれば良い。
【００１４】
そして、これら各中央孔１ａと各端孔１ｂに亘り、上記靴Ｓの鳩目Ｓ３を通って延出した靴紐２の中途部２ａを夫々弛ませながら通すか、又は隣り合う複数の端孔１ｂ，１ｃ同士に亘り、該靴Ｓから延出した靴紐２の中途部２ａを夫々弛ませながら通すことで、蝶結び３の蝶部３ａが形成されるようなバランス配置とすると共に、これら各端孔１ｂ又は１ｃから各中央孔１ａへ靴紐２の両端部２ｂを夫々が突出するように通すことで、蝶結び３のタレ部３ｂが形成されるようなバランス配置としている。
【００１５】
この際、上記各中央孔１ａ、各端孔１ｂ又は隣り合う複数の端孔１ｂ，１ｃのどれかに亘り通した靴紐２は、保持具本体１の表面上やいずれかの孔内で、夫々逆向きに接触するように配置することにより、これら靴紐２をその締め具合の調整移動に伴って夫々逆向きに移動させることが好ましく、更にこれら接触し合う靴紐２が長くなるようにすることが好ましい。
その具体例として、各端孔１ｂ又は１ｃから延出した靴紐２の両端部２ｂを、これら各端孔１ｂ，１ｃとは反対側に配置される各中央孔１ａへ向け靴紐２を通して、蝶結び３のタレ部３ｂが形成されるようにすることが好ましい。
【００１６】
更に、上記保持具本体１と、それを通り抜けた靴紐２の両端部２ｂとの間又はどちらか一方には、図１０に示す如く、靴紐２の両端部２ｂの挿通方向と逆向きへ移動不能にするタレ戻り防止手段４を設けることが好ましい。
【００１７】
また、上記保持具本体１には、各中央孔１ａ及び各端孔１ｂ，１ｃと、それを挿通した靴紐２との摩擦抵抗が増大するように係止手段（図示せず）を設けて、靴紐２が移動し難くなるようにすることや、これら各中央孔１ａ及び各端孔１ｂ，１ｃを挿通した靴紐２の一部又は全部が覆われるようにカバー手段（図示せず）を、該保持具本体１に対して着脱自在又は開閉自在若しくは一体的に取り付けることにより、靴紐２の移動防止を図りながら外観の向上を図ることも可能である。
以下、本発明の各実施例を図面に基づいて説明する。
【実施例１】
【００１８】
この実施例１は、図１（ａ）（ｂ）及び図２に示す如く、前記保持具本体１の略中央位置に靴紐２が２本通る大きさの中央孔１ａを足幅方向（図面では左右方向）へ一対設け、これら各中央孔１ａを挟んで足幅方向両側に、小径な端孔１ｂ，１ｃを適宜間隔毎に各２個宛略一列に設け、これら各端孔１ｂ，１ｃ同士に亘り、前記靴Ｓから延出した靴紐２の中途部２ａを夫々弛ませながら通すことで、蝶結び３の蝶部３ａが形成されるようにした場合を示すものである。
【００１９】
上記保持具本体１は、図示例の場合、変形不能な帯板状に形成しているが、その形状は図１（ａ）（ｂ）に示すもの以外に、例えば図３〜５に示すように形成することも可能である。
【００２０】
図３に示す保持具本体１は、その外形状の変形例であり、保持具本体１の長手方向両端へ向けてそれと直行する足長方向（図１（ａ）では上下方向）へ徐々に狭くなるように形成することにより、例えばスニーカーなどの運動靴に使用してもデザイン的に違和感が無いようにしている。
【００２１】
図４に示す保持具本体１は、各中央孔１ａ及び各端孔１ｂ，１ｃに対して挿通した靴紐２との摩擦抵抗が増大するように、各中央孔１ａ及び各端孔１ｂ，１ｃの孔形状を丸形以外にした変形例であり、図示例の場合には三角形にして、これに伴って保持具本体１の外形状も保持具本体１の長手方向両端へ向けて尖るようにしている。
また図示例以外に、各中央孔１ａ及び各端孔１ｂ，１ｃの孔形状を矩形や多角形などに変えたり、それに対応して保持具本体１の外形状を変えることも可能である。
【００２２】
図５に示す保持具本体１は、各中央孔１ａ及び各端孔１ｂ，１ｃに対して靴紐２を挿通し易くするために、これら各中央孔１ａ及び各端孔１ｂ，１ｃの一部を開口させた変形例であり、図示例の場合には各中央孔１ａ及び各端孔１ｂ，１ｃに、該開口部１ｄとしてその孔径よりも狭いが靴紐２は通し得るスリットを夫々形成している。
また図示例以外に、各中央孔１ａ及び各端孔１ｂ，１ｃに該スリットよりも大きな開口部１ｄを夫々形成して、これら開口部１ｄから靴紐２を挿通した後に各開口部１ｄを閉じる閉鎖手段を保持具本体１に対して開閉自在に取り付けることも可能である。
【００２３】
更に、このような保持具本体１に対する靴紐２の通し方として図示例の場合には、靴Ｓから延出した靴紐２の中途部２ａを、先ず各中央孔１ａに導いてその靴側から外へ向け夫々通した後、長手方向外側に配置された各第二端孔１ｃに靴Ｓの外から靴側へ向けて夫々通し、そこで靴紐２を十分に弛ませながら内側の各第一端孔１ｂに靴側から外へ向けて夫々通すことにより、蝶結び３の蝶部３ａが形成され、最後にこれら内側の各第一端孔１ｂから延出した靴紐２の両端部２ｂを、反対側に配置される各中央孔１ａに外から靴側へ向けて夫々通すことにより、蝶結び３のタレ部３ｂが形成されるようにしている。
【００２４】
上記靴紐２の通し方は、図示例以外に例えば図６〜８に示すように通すことも可能である。
図６に示す靴紐２の通し方は、靴紐２を各中央孔１ａから内側の各第一端孔１ｂに導いてその外から靴側から外へ向け夫々通し、そこで靴紐２を十分に弛ませながら外側の各第二端孔１ｃに靴側から外へ向けて夫々通すことにより、蝶結び３の蝶部３ａが形成される例である。
【００２５】
図７に示す靴紐２の通し方は、靴Ｓから延出した靴紐２の中途部２ａを、先ず内側の各第一端孔１ｂに導いてその靴側から外へ向け夫々通した後、この外側の各第二端孔１ｃに外から靴側へ向けて夫々通し、そこで靴紐２を十分に弛ませながら各中央孔１ａに靴側から外へ向けて夫々通すことにより、蝶結び３の蝶部３ａが形成され、最後に各中央孔１ａから延出した靴紐２の両端部２ｂを、同じ側に配置される各中央孔１ａにその靴側から外へ向けて夫々通した後、反対側に配置される各中央孔１ａに外から靴側へ向けて夫々通すことにより、蝶結び３のタレ部３ｂが形成される例である。
【００２６】
図８に示す靴紐２の通し方は、靴Ｓから延出した靴紐２の中途部２ａを、先ず外側の各第二端孔１ｃに導いてその靴側から外へ向けて夫々通した後、内側の各第一端孔１ｂに外から靴側へ向けて夫々通し、そこで靴紐２を十分に弛ませながら同じ側に配置される各中央孔１ａに靴側から外へ向けて夫々通すことにより、蝶結び３の蝶部３ａが形成され、最後にこれら同じ側の各中央孔１ａから延出した靴紐２の両端部２ｂを、反対側に配置される各中央孔１ａに外から靴側へ向けて夫々通すことにより、蝶結び３のタレ部３ｂが形成される例である。
【００２７】
次に、斯かる靴紐保持具Ａの使用方法及び作用効果について説明する。
先ず、図１（ａ）（ｂ）と図２及び図６〜８に示すように保持具本体１が靴紐２で靴Ｓに装着された状態において、保持具本体１を摘んで靴Ｓの腰革Ｓ１から離れるように移動して引き離すと、蝶結び３の蝶部３ａとして蓄えられた靴紐２が靴側へ繰り出されて、その繰り出された分だけ靴紐２の締め具合が弛む。
それにより、靴Ｓの履き替えが容易になる。
【００２８】
また、このような靴紐２の弛み状態において、蝶結び３の蝶部３ａを夫々摘んで、これらを図２及び図６〜８の二点鎖線に示すように足幅方向（図面では左右方向）へ互いに離れるように夫々引っ張ると、靴Ｓから延出した靴紐２の中途部２ａが蝶結び３の蝶部３ａへ繰り込まれて、その繰り込まれた分だけ靴紐２が締め付けられる。
それにより、蝶結び３を解かなくとも素早く簡単に靴紐２の締め具合を調整できる。
【００２９】
特に図１（ａ）（ｂ）及び図２に示す例のように、靴Ｓから延出した靴紐２の中途部２ａを、各中央孔１ａから外側の各第二端孔１ｃを介して内側の各第一端孔１ｂへ向け夫々通すと共に、これら内側の各第一端孔１ｂから延出した靴紐２の両端部２ｂを、反対側に配置される各中央孔１ａへ向け夫々通すと、靴Ｓから各中央孔１ａを介して外側の各第二端孔１ｃへ向かう靴紐２と、内側の各第一端孔１ｂから反対側の各中央孔１ａへ向かう靴紐２とが、各中央孔１ａの内部及び保持具本体１の表面上で夫々接触し、これら靴紐２が上述した靴紐２の締め具合の調整移動に伴って夫々逆向きに移動する。
それにより、これら逆向きに接触する靴紐２同士の摩擦抵抗が向上して弛み難くなるという利点がある。
【実施例２】
【００３０】
この実施例２は、図９に示す如く、前記各中央孔１ａを靴紐２が２本又は３本通る大きさに形成し、この各中央孔１ａの両側に各端孔１ｂを各１個宛設け、これら各中央孔１ａと各端孔１ｂに亘り、靴Ｓから延出した靴紐２の中途部２ａを夫々弛ませながら通すことで、蝶結び３の蝶部３ａを形成した構成が、前記図１〜８に示した実施例１とは異なり、それ以外の構成は図１〜８に示した実施例１と同じものである。
【００３１】
図示例の場合には、各中央孔１ａを靴紐２が３本通る大きさに形成して、靴Ｓから延出した靴紐２の中途部２ａを、先ず各中央孔１ａに導いてその靴側から外へ向け夫々通した後、各端孔１ｂに外から靴側へ向けて夫々通し、そこで靴紐２を十分に弛ませながら各中央孔１ａに靴側から外へ向けて夫々通すことにより、蝶結び３の蝶部３ａが形成され、それから靴紐２の両端部２ｂを、反対側に配置される各中央孔１ａに外から靴側へ向け夫々通すことで、蝶結び３のタレ部３ｂが形成されるようにしている。
【００３２】
また、図示例以外には、各中央孔１ａを靴紐２が２本通る大きさに形成して、靴Ｓから延出した靴紐２の中途部２ａを、先ず各端孔１ｂに導いてその靴側から外へ向け夫々通した後、各中央孔１ａに外から靴側へ向けて夫々通し、そこで靴紐２を十分に弛ませながら各端孔１ｂに靴側から外へ向け夫々通すことにより、蝶結び３の蝶部３ａが形成され、それから靴紐２の両端部２ｂを、反対側に配置される各中央孔１ａに外から靴側へ向け夫々通すことで、蝶結び３のタレ部３ｂが形成されるようにすることも可能である。
【００３３】
従って、図６に示す実施例２も、上述した実施例１と同様な作用効果が得られ、更に加えて実施例１よりも保持具本体１を長手方向へコンパクト化できてその分だけ目立ち難くなり、靴Ｓのデザインに悪影響を与えないという利点がある。
【実施例３】
【００３４】
この実施例３は、図１０に示す如く、前記保持具本体１とそれを通り抜けた靴紐２の両端部２ｂとの間又はどちらか一方に、靴紐２の両端部２ｂの挿通方向と逆向きへ移動不能にするタレ戻り防止手段４を設けた構成が、前記図１〜８に示した実施例１及び前記図９に示した実施例２とは異なり、それ以外の構成は実施例１及び実施例２と同じものである。
【００３５】
図示例の場合には、各中央孔１ａを靴側へ通り抜けた靴紐２の両端部２ｂに対し、タレ戻り防止手段４として該中央孔１ａの孔径よりも大きなストッパーを着脱自在に取り付けることで、上述した靴紐２の弛み状態から蝶結び３の蝶部３ａを摘んで引っ張る際に、タレ戻り防止手段４により靴紐２の両端部２ｂが逆向き移動せず、靴Ｓから延出した靴紐２の中途部２ａのみが蝶結び３の蝶部３ａへ繰り込まれて靴紐２が締め付けられるようにしている。
【００３６】
また、図示例以外に上記タレ戻り防止手段４を、前記保持具本体１に対して着脱自在又は移動自在に取り付けることも可能である。
【００３７】
従って、図１０に示す実施例３は、上述した実施例１及び実施例２と同様な作用効果が得られ、更に加えて実施例１や実施例２よりも、靴紐２を更に容易でしかも確実に締め付けることができて操作性に優れるという利点がある。
【実施例４】
【００３８】
この実施例４は、図１１（ａ）（ｂ）に示す如く、前記保持具本体１をその厚さ方向へ変形可能に形成した構成が、前記図１〜図８に示した実施例１、前記図９に示した実施例２及び前記図１０に示した実施例３とは異なり、それ以外の構成は実施例１、実施例２及び実施例３と同じものである。
【００３９】
図１１（ａ）に示す保持具本体１′は、複数の板状部材１ｅに前記各中央孔１ａ及び各端孔１ｂ，１ｃを各１個宛設け、これら板状部材１ｅ同士を枢着するなどしてその厚さ方向へ変形可能に連結することで一連の帯状に形成した例である。
図１１（ｂ）に示す保持具本体１″は、前記各中央孔１ａ及び各端孔１ｂ，１ｃが各１個宛設けられた環状部材（リング）１ｆ同士を夫々連結することで変形可能な一連の帯状に形成した例である。
また、図示例以外には、前記保持具本体１を例えば軟質合成樹脂、ゴム、皮などの材料でその厚さ方向へ変形可能な帯板状に形成することも可能である。
【００４０】
従って、図１１（ａ）（ｂ）に示すような厚さ方向へ変形可能に形成された保持具本体１，１′，１″に靴紐２を通して使用する実施例４は、上述した実施例１、実施例２及び実施例３と同様な作用効果が得られ、更に加えて上述した保持具本体１，１′，１″が靴紐２で靴Ｓに装着された状態では、該保持具本体１，１′，１″が靴Ｓの腰革Ｓ１などの表面に沿って湾曲変形するため、実施例１〜３よりも靴Ｓに馴染んで目立ち難くなり、靴Ｓのデザインに悪影響を与えないという利点がある。
【００４１】
尚、図示例では、各中央孔１ａ及び各端孔１ｂ又は１ｃの配置例として、両中央孔１ａの開設位置の延長線上に各端孔１ｂ又は１ｃを開設して、これら全てを上記保持具本体１の長手方向へ略一直線状に配置したが、これに限定されず、両中央孔１ａの開設位置の延長方向（保持具本体１の長手方向）と交差するように各端孔１ｂ，１ｃを夫々配置しても良い。
更に図示例では、靴Ｓとしてビジネスタイプの紳士靴の場合を示したが、これに限定されず、例えばスニーカーなどの運動靴や婦人靴や子供靴など、靴紐２の締め具合を調整するものであれば、他の形状の靴であっても良い。
また、保持具本体１を靴Ｓと別個に設けたが、これに限定されず、保持具本体１を靴Ｓの腰革Ｓ１や舌革Ｓ２などに一体に形成したり、連絡部材（図示せず）を介して保持具本体１と靴Ｓを一体的に連結しても良い。
従って、これらの場合も上述した実施例１〜４と同様な作用効果が得られる。
【図面の簡単な説明】
【００４２】
【図１】本発明の靴紐保持具の実施例１を示し、（ａ）が平面図であり、（ｂ）が（ａ）の（１Ｂ）−（１Ｂ）線に沿える縦断面図である。
【図２】靴紐の通し方を説明するための縦断面図である。
【図３】保持具本体の変形例を示す平面図である。
【図４】保持具本体の変形例を示す平面図である。
【図５】保持具本体の変形例を示す平面図である。
【図６】靴紐の通し方の変形例を説明するための縦断面図である。
【図７】靴紐の通し方の変形例を説明するための縦断面図である。
【図８】靴紐の通し方の変形例を説明するための縦断面図である。
【図９】本発明の靴紐保持具の実施例２を示し、靴紐の通し方を説明するための縦断面図である。
【図１０】本発明の靴紐保持具の実施例３を示し、靴紐の通し方を説明するための縦断面図である。
【図１１】本発明の靴紐保持具の実施例４を示し、（ａ）が保持具本体のみの斜視図であり、（ｂ）が保持具本体のみの平面図である。
【符号の説明】
【００４３】
Ａ  靴紐保持具                      Ｓ１  腰革
Ｓ２  舌革                          Ｓ３  鳩目
１，１′，１″  保持具本体          １ａ  中央孔
１ｂ  第一端孔                      １ｃ  第二端孔
１ｄ  開口部                        １ｅ  板状部材
１ｆ  環状部材                      ２  靴紐
２ａ  中途部                        ２ｂ  両端部
３  蝶結び                          ３ａ  蝶部
３ｂ  タレ部                        ４  タレ戻り防止手段
【図１】
2009050454.tif 000003
【図２】
2009050454.tif 000004
【図３】
2009050454.tif 000005
【図４】
2009050454.tif 000006
【図５】
2009050454.tif 000007
【図６】
2009050454.tif 000008
【図７】
2009050454.tif 000009
【図８】
2009050454.tif 000010
【図９】
2009050454.tif 000011
【図１０】
2009050454.tif 000012
【図１１】
2009050454.tif 000013